(57)【要約】【課題】食べ物を差して口へ運ぶことができ、食べ物の落下を防ぐことにより肢体の不自由な人でも安心して使用できる飲食用フォークを提供する。【解決手段】食事中に手に持って使用する飲食用フォークの先端部に櫛歯を設けその櫛歯の先端をカギ止め形状に突設し形成したことにより、カギ止め部に食物を止められ落下を防止することができる。複数の櫛歯を直線上に並べず櫛歯が上下に交差するように段差を設けたことにより、櫛歯が上下左右から食べ物を挟み込み落下を防止することができる。このように食べ物を刺して口へ運ぶことができ、肢体の不自由な人でも安心して使いやすい食べ物の落下を防止する、運べるフォークができる。【選択図】  図１
2007054579.tif 000002
【特許請求の範囲】
【請求項１】
食べ物を食べるため先端部に食べ物を刺す複数の櫛歯と手で持つ握り柄とからなる飲食用フォークの櫛歯の先端に、複数の突設されたカギ止めを形成したことを特徴とする、運べるフォーク。
【請求項２】
食べ物を食べるため先端部に食べ物を刺す複数の櫛歯と手で持つ握り柄とからなる飲食用フォークの櫛歯の先端を、上下に交差する段差を設けたことを特徴とする、運べるフォーク。
【請求項３】
食べ物を食べるため先端部に食べ物を刺す複数の櫛歯と手で持つ握り柄とからなる飲食用フォークの櫛歯の先端に、複数の突設されたカギ止めを形成した請求項１と、櫛歯の先端を上下に交差する段差を設けた請求項２を特徴とする、運べるフォーク。
【発明の詳細な説明】
【技術分野】
【０００１】  本発明は、食事をするとき使用する食べ物を刺せる櫛歯と手で持つ握り柄とからなる飲食用フォークに関するものである。
【背景技術】
【０００２】  従来から、食べ物を食べるため食べ物を掬い取って口へ運んだり、櫛歯の先端に食べ物を巻きつけたり、食べ物を刺して口へ運ぶことのできる飲食用フォークがある。
【発明の開示】
【発明が解決しようとする課題】
【０００３】  従来の技術によるものには、次のような問題点があった。
従来からある飲食用フォークは、柔らかい野菜、果物、肉などは差して口へ運ぶが、櫛歯がまっすぐなため浅く刺すと口に運ぶ途中で食べ物が抜け落ちてしまうことがあった。食物を刺して口へ運ぶとき確実に落下を防止できるフォークがなかった。このため肢体の不自由な人には使いにくかった。食物の落下防止するために櫛歯を細くし櫛歯を多く用いる方法も考えられるが櫛歯の先端も細くなり取り扱いが危険である。
本発明は、これらの問題点を解決するためになされたものである。
【課題を解決するための手段】
【０００４】  食べ物を食べるため先端部に食べ物を刺す複数の櫛歯と手で持つ握り柄とからなる飲食用フォークの、櫛歯の先端に複数の突設されたカギ止めを形成させ、櫛歯の先が上下に交差する段差を設けて櫛歯を形成する。
以上を特徴とする食器。
【発明の効果】
【０００５】  食事中に手に持って使用する飲食用フォークの複数の櫛歯の先端にカギ止めを設けることにより食べ物が突設したカギに止まり、上下に交互する複数の櫛歯が上下左右から食物を挟み込むため食べ物の落下を防止することができ、肢体の不自由な人にも安全で使い安い食べ物の落下を防止する、運べるフォークができる。
【発明を実施するための最良の形態】
【０００６】  以下、本発明の実施の形態について説明する。
（イ）握り柄（５）のある飲食用フォークの先端に、複数の櫛歯（４）を設け、櫛歯の内側先端（１）と櫛歯の外側先端（２）の一部にカギ止め（３）が左右の方向に突設され、カギが口に触れることを防止している。
（ロ）櫛歯（４）の先端に設けられたカギ止め（３）の形状と寸法は、食べ物を刺して止める落下防止に必用な最小の範囲で用い櫛歯（４）の全てに設ける必要はなく、片側一箇所または両側二ヶ所に設けることができる。カギが外側へ飛び出すと危険なため櫛歯の外側先端（２）の外郭端線部には形成せず上下方向にも形成しない。
（ハ）櫛歯（４）の長さ（ａ）はフォークの機能を損なわない距離で形成されている。
（ニ）複数の櫛歯（４）は上下に交互した段差を設けることにより食べ物を刺したときに上下左右から食物を挟み込む形に形成されている。櫛歯（４）を口に入れたときの違和感を最小限に留めるため下方に位置する櫛歯（４）は上方に位置する櫛歯（４）より短く形成されている。
本発明は以上のような構成で、これを使用するときは手に持ち飲食用として使用する。先端部が食物の落下を防止する形状に形成された飲食用フォークは、先端部を食物に刺して口へ運ぶことができ、肢体の不自由な人にも便利な運べるフォークができる。
【実施例１】  図４の（イ）、図５の（イ）に示す運べるフォークは、複数の櫛歯（４）を交互に上下させて形成されている。下方に位置する櫛歯（４）は上方に位置する櫛歯（４）より短い櫛歯から成る飲食用フォークである。先端で食物を刺した歯型跡は、図６の（イ）に示すように上下左右から食物を挟み込む歯型跡となる。
【実施例２】  図４の（ロ）、図５の（ロ）に示す運べるフォークは、複数の櫛歯（４）の先端にカギ止め（３）を形成した櫛歯（４）から成る飲食用フォークである。先端で食物を刺した歯型跡は、図６の（ロ）に示すように直線上に並ぶ歯型跡となる。
【実施例３】  図７に示す運べるフォーク（イ）、（ロ）は、複数の櫛歯（４）の先端にカギ止め（３）を形成した櫛歯（４）から成る飲食用フォークである。図８の（イ）、（ロ）、（ハ）、（ニ）は、先端のカギ止め（３）の実施例を示している。
【実施例４】  図９、図１０に示す運べるフォークは、さじ型の掬い部（７）の中にカギ止め（３）を形成した複数の櫛歯（４）設けられ、お惣菜と一緒に米飯も掬い易い丸い外側形状と幅広の握り柄（５）からなり、握り柄の先は手で取り易くするための折り曲げ部（６）が設けられ、高齢者や障害者にも使い易くしている。
【実施例５】  図１１、図１２に示す運べるフォークは、ナイフの切刃部（８）先端にカギ止め（３）を形成した複数の櫛歯（４）設けられ、握り柄（５）の端が立て置きされたとき手で取り易くするための折り曲げ部（６）が設けられている。
【図面の簡単な説明】
【０００７】
【図１】本発明の実施例を示す平面図
【図２】本発明の実施例を示す側面図
【図３】本発明の実施例を示す正面図
【図４】本発明の他の実施例を示す側面図
【図５】本発明の他の実施例を示す正面図
【図６】本発明のフォークの先端で食物を差した歯型跡
【図７】本発明の他の実施例を示す平面図
【図８】本発明の他の実施例を示す正面図
【図９】本発明の他の実施例を示す側面図
【図１０】本発明の他の実施例を示す平面図
【図１１】本発明の他の実施例を示す側面図
【図１２】本発明の他の実施例を示す平面図
【符号の説明】
【０００８】１      櫛歯の内側先端
２      櫛歯の外側先端
３      カギ止め
４      櫛歯
５      握り柄
６      折り曲げ部
７      掬い部
８      切刃部
ａ      櫛歯の長さ
【図１】
2007054579.tif 000003
【図２】
2007054579.tif 000004
【図３】
2007054579.tif 000005
【図４】
2007054579.tif 000006
【図５】
2007054579.tif 000007
【図６】
2007054579.tif 000008
【図７】
2007054579.tif 000009
【図８】
2007054579.tif 000010
【図９】
2007054579.tif 000011
【図１０】
2007054579.tif 000012
【図１１】
2007054579.tif 000013
【図１２】
2007054579.tif 000014
【手続補正書】
【提出日】平成17年11月15日(2005.11.15)
【手続補正１】
【補正対象書類名】図面
【補正対象項目名】全図
【補正方法】変更
【補正の内容】
【図１】
2007054579.tif 000015
【図２】
2007054579.tif 000016
【図３】
2007054579.tif 000017
【図４】
2007054579.tif 000018
【図５】
2007054579.tif 000019
【図６】
2007054579.tif 000020
【図７】
2007054579.tif 000021
【図８】
2007054579.tif 000022
【図９】
2007054579.tif 000023
【図１０】
2007054579.tif 000024
【図１１】
2007054579.tif 000025
【図１２】
2007054579.tif 000026